(57)【要約】【課題】ネットワーク上に情報公開するシステムで、公開する情報の極小化と、公開する期間の自動管理を行なうことを目的とする。【解決手段】インターネットなどのネットワークに接続する接続手段と、各種情報をネットワークに公開する公開手段を有する情報公開システムにおいて、公開するための情報を逐次登録するための登録手段と、登録に要する対価を登録時に支払う登録料支払手段、登録料は情報公開を行なう期間の長さに基づいて算定し、登録した期間が近づくと情報公開期間を更新するどうかを利用者に問い合わせて期間を更新する期間更新手段を有するように構成する。【選択図】        図１
2004318689.tif 000002
【特許請求の範囲】
【請求項１】
インターネットなどのネットワークに接続する接続手段と、各種情報をネットワークに公開する公開手段を有する情報公開システムにおいて、
公開するための情報を逐次登録するための登録手段と、登録に要する対価を登録時に支払う登録料支払手段を有することを特徴とした情報公開システム。
【請求項２】
登録料は情報公開を行なう期間の長さに基づいて算定されることを特徴とした請求項１に記載の情報公開システム。
【請求項３】
登録した期間が近づくと情報公開期間を更新するどうかを利用者に問い合わせて期間を更新する期間更新手段を有することを特徴とした請求項１に記載の情報公開システム。
【請求項４】
公開情報の利用者から利用料を徴収する手段と、徴収した利用料から一定の利率によって登録料を徴収しそれに見合った期間だけ公開期間を延長することを特徴とする請求項２に記載の情報公開システム。
【請求項５】
インターネットなどのネットワークに接続し、各種情報をネットワークに公開する情報公開方式において、
公開するための情報を逐次登録し、登録に要する対価を登録時に支払うことを特徴とした情報公開方式。
【請求項６】
登録料は情報公開を行なう期間の長さに基づいて算定されることを特徴とした請求項５に記載の情報公開方式。
【請求項７】
登録した期間が近づくと情報公開期間を更新するどうかを利用者に問い合わせて期間を更新することを特徴とした請求項５に記載の情報公開方式。
【請求項８】
公開情報の利用者から利用料を徴収し、徴収した利用料から一定の利率によって登録料を徴収しそれに見合った期間だけ公開期間を延長することを特徴とする請求項６に記載の情報公開方式。
【請求項９】
請求項５に記載の情報公開方式を実現するソフトウェアを格納した媒体。
【請求項１０】
請求項６に記載の情報公開方式を実現するソフトウェアを格納した媒体。
【請求項１１】
請求項７に記載の情報公開方式を実現するソフトウェアを格納した媒体。
【請求項１２】
請求項８に記載の情報公開方式を実現するソフトウェアを格納した媒体。
【発明の詳細な説明】
【０００１】
【発明の属する技術分野】
本発明は、ネットワークに接続され、同じネットワークに接続されたクライアントに対して、サービスまたは情報を提供する装置およびシステムに関するものである。
【０００２】
【従来の技術】
インターネット上で情報を提供しようとする場合、ＷＷＷ（Ｗｏｒｌｄ  Ｗｉｄｅ  Ｗｅｂ）サーバーを使用するのが一般的となっている。
【０００３】
ＷＷＷサーバーを立ち上げ、インターネット上で情報を提供するためには、ＷＷＷサーバーを運営・管理していく必要がある。そのためにはネットワークやコンピュータに関する専門的な知識が必要である上、ネットワークやコンピュータで発生するトラブルに対処するため、それらを管理・運営するための専任の人員が必要である。そのため、自前のＷＷＷサーバーを持つことは個人や中小事業者にとっては非常に困難なこととなっている。
【０００４】
これを解決するために、ＷＷＷサーバーを管理・運営して、そのＷＷＷサーバーのディスクスペースを貸し出すことにより、自前でＷＷＷサーバーを所有できない個人や中小事業者が情報発信をする手助けをするいわゆるインターネット・サービス・プロバイダ（以下ＩＳＰと略）が事業を行っている。
【０００５】
ＩＳＰは一定期間に一定のディスクスペースを貸し出す際の価格と、同じ期間に一定の追加スペースに対する価格を決めている。情報発信を行おうとするユーザはＩＳＰと契約し、通常は月単位でディスクスペースの貸し出しを受ける。貸し出しを受けたディスクスペースに情報をおき、ＩＳＰが用意したＷＷＷサーバーによってインターネットにサービスや情報を提供する仕組みとなっている。
【０００６】
最近では、市などの行政区分内でのみ有効な情報を提供するためのＷＷＷサイトである、“地域ポータル”も出現しつつある。この地域ポータルでは、地域内の住民に役立つ情報を提供している。これらのサイトでは、役所や図書館などといった公共機関の開館時間の変更情報などにとどまらず、中小小売業者のバーゲン情報や、医院の臨時休診情報などまで、市民生活に立脚した情報を提供しようとしている。
【０００７】
また、最近では主として業務で使用するパッケージソフトをユーザのシステムにインストールして使用する代わりに、ＷＷＷサーバーを使用してアプリケーションプログラムをサーバー側で稼動して、ＷＷＷブラウザを使用してアプリケーションを利用する環境を提供するＡｐｐｌｉｃａｔｉｏｎ  Ｓｅｒｖｉｃｅ  Ｐｒｏｖｉｄｅｒ（以下ＡＳＰと略）が出現してきている。
【０００８】
現在は、アプリケーションプログラムをサービスとして提供したい事業者がＷＷＷサーバーを立ち上げてサービス提供を行っている。今後アプリケーションプログラムを開発して提供している個人事業者、中小事業者のために、ＩＳＰが現在行なっているようなＷＷＷサーバー貸し出しによるＡＳＰ事業を行なう事業者（以下ＡＳＰサイト事業者と略）が出現することは容易に想像しうる。
【０００９】
【発明が解決しようとする課題】
地域ポータルの場合、たとえばバーゲン情報のような情報提供者が利益を得るような情報の場合、ＷＷＷサイトに情報掲載するにかかる費用は情報提供者が負うものとすることはごく自然なことである。
【００１０】
現在のＩＳＰの採用している方法を用いて地域ポータルに対して情報提供するものにディスクスペースを月単位で貸し出して情報提供させることしかできない。
【００１１】
そこには以下のような課題が存在する。
【００１２】
１）提供情報粒度
たとえば、バーゲン情報のみを提供したい場合でも、ディスクスペースの提供だけを受けた場合、情報発信サイトとしての体裁を整えねばならず、本来提供したい情報以外の物も情報提供する必要がある。
【００１３】
２）掲載期間
たとえば休診情報などは、通年的に必要なわけではなく、休診しなくてはならないと分かった時点から休診期間の終了までしか必要ではない。そのために月単位でディスクスペースを借りる契約を結ぶのは不合理である。
【００１４】
３）情報管理
バーゲン情報などは、バーゲン期間が過ぎてしまえば不必要な情報である。不要となった情報をＷＷＷサイトから削除する責任は情報提供者にあり、情報提供者は提供している情報を逐一メンテナンスする必要がある。
【００１５】
また、ＡＳＰサイトの場合、ＡＳＰサイト事業者の運営するサーバーにアプリケーションを置き、現在のＩＳＰのように月単位で使用料を徴収する形態を取った場合、以下のような課題が存在する。
【００１６】
１）情報利用者のリソース使用料の提供者への課金
ＡＳＰのばあい、アプリケーションプログラムを動かすのに必要なＣＰＵ、メモリなどのコンピュータ資源はＡＳＰサイトが提供することとなる。これらの資源を使用するための使用料は、アプリケーション使用料の一部として利用者が提供者に支払い、さらに提供者からＡＳＰサイト運営者に支払われるのが妥当である。すなわち、情報提供者は情報提供者からは予測困難な利用者の使用量によって変動する課金を請求されることとなる。
【００１７】
２）使用料とコストのバランス
予想外に利用者が頻繁に長時間使用して、コンピュータ資源の使用料が増大してしまった場合、想定していた利用料を超えてしまい、いわゆる赤字の状態になることがある。月単位の契約では、このような状況に陥っていることがなかなか認識できず、赤字幅を増大させることも考えられる。
【００１８】
【課題を解決するための手段】
インターネットなどのネットワークに接続する接続手段と、各種情報をネットワークに公開する公開手段を有する情報公開システムにおいて、公開するための情報を逐次登録するための登録手段と、登録に要する対価を登録時に支払う登録料支払手段を有するように構成する。
【００１９】
また、登録料は情報公開を行なう期間の長さに基づいて算定されるよう構成する。
【００２０】
さらに、登録した期間が近づくと情報公開期間を更新するどうかを利用者に問い合わせて期間を更新する期間更新手段を有するように構成する。
【００２１】
公開情報の利用者から利用料を徴収する手段と、徴収した利用料から一定の利率によって登録料を徴収しそれに見合った期間だけ公開期間を延長するよう構成する。
【００２２】
【発明の実施の形態】
以下、図を参照して本発明の実施の形態を説明する。
【００２３】
（第１の実施形態）
図１は、本発明の第１実施形態の構成を表す図である。図において、１０１０はシステムを利用して情報を取得する利用者、１０１１は利用者１０１０がインターネットにアクセスするために使用する利用者コンピュータ、１０２０はシステムに対して情報を提供する提供者、１０２１は提供者１０２０がインターネットにアクセスするために使用する提供者コンピュータ、１０３０はシステムを提供するＩＳＰ、１０４０は利用者１０１０、提供者１０２０、ＩＳＰ１０３０が接続されるインターネットである。
【００２４】
図２は、ＩＳＰ１０３０の所有するサーバーマシン上で実行されるソフトウェアの構成をあらわす図である。同図において、２０１０は電子メールの送受信を管理するメールサーバー、２０２０はＩＳＰ１０３０が提供するＷＷＷを管理するＷＷＷサーバー、２０３０はＩＳＰ１０３０が提供するシステムを使用して情報提供を行なう提供者１０２０に関する情報を管理するユーザ管理部、２０４０は各種情報を記憶しておく記憶部、２０５０はネットワーク１０４０を用いて通信を行なうための通信管理部、２０６０は提供者１０２０が情報提供を行なう際に指定した期限が過ぎているかを管理する期限管理部、２０７０は提供者１０２０が提供する情報を登録しＷＷＷサーバー２０２０によってＷＷＷで情報提供できるよう記憶部２０４０に記憶させる登録部、２０８０はユーザの登録ページを記憶部２０４０に記憶するためにユーザサイトからＩＳＰのサイトに転送するために使用するＦＴＰサーバーである。
【００２５】
図３は、図２に示す各部が使用するために記憶部２０４０上に記憶されるデータレコードの構造をあらわす図で、３０１０は提供者１０２０の情報を管理するためのユーザ情報レコード、３０２０は３０１０で登録されている提供者１０２０が提供している情報を管理するための登録情報レコードである。
【００２６】
図４は、図１で示される利用者１０１０、提供者１０２０、ＩＳＰ１０３０の間で行われる処理の流れをあらわすＵＭＬ（Ｕｎｉｆｉｅｄ  ＭｏｄｅｌｉｎｇＬａｎｇｕａｇｅ）のシーケンス図である。
【００２７】
このシーケンス図と図５から図１３に示すＷＷＷサーバーが提供するＷＷＷページの表示例を用いて、本発明の第１実施形態における処理の流れを説明する。
【００２８】
提供者１０２０がＩＳＰ１０３０の提供する登録ページにアクセスして登録依頼を行なう。そのためには提供者１０２０は提供者コンピュータ１０２１より、インターネット１０４０にアクセスし、提供者コンピュータ１０２１上で稼動するソフトウェアであるＷＷＷブラウザにＩＳＰの登録ページのＵＲＬ（Ｕｎｉｆｏｒｍ  Ｒｅｓｏｕｒｃｅ  Ｌｏｃａｔｏｒ）を指定することによって登録ページにアクセスする。
【００２９】
登録ページにアクセスする際には、アクセスしているのが登録されたユーザであることを確認するため、図５に示すログインページが提供者の使用してデバイスに送られ表示される。このページで入力されたユーザ名とパスワードはＩＳＰのサーバーに送られ、ユーザ管理部２０３０が、ユーザ名をキーにして、記憶部２０４０に記憶されているユーザ情報レコード３０１０群から該当するレコードを検索する。検索されたレコードに記録されているパスワードとユーザが入力したパスワードが一致していれば、正規のユーザがアクセスしているものとして図６に示す登録ページをＷＷＷサーバー２０２０によって、提供者コンピュータ１０２１上のＷＷＷブラウザに表示する。
【００３０】
登録ページに、ＷＷＷサイトに登録する際のカテゴリ、期間、タイトルや登録したいページの情報が格納されている場所を指定する。さらに登録にかかる費用をどのように支払うかを指定する。本実施形態では、支払方法として銀行振込、クレジットカード決済、デジタルキャッシュなどの支払方法を想定している。もちろんこれらの支払方法に限定されるわけではなく、ほかの支払方法をとったとしても本実施例に影響を与えることは無い。
【００３１】
図６のページの登録ボタンを押すと、ユーザが入力した情報がＩＳＰ１０３０のサーバーに送られ登録部２０７０に登録依頼として渡される。またユーザの登録するページ情報はＦＴＰによって転送され、ＦＴＰサーバー２０８０によって受信され記憶部２０４０内の登録情報仮登録部に格納する。
【００３２】
登録依頼を受け取った登録部２０７０は送られてきた情報から登録情報レコード３０２０を作成し保持する。ここで、格納場所を正式に割り当て、割り当てられた格納場所を示す情報が登録情報レコード３０２０に設定される。登録部２０７０は、指定された登録期間と記憶部２０４０内の登録情報仮登録部に格納されている情報量から登録するための対価を計算する。
【００３３】
対価の計算は以下の式によって行なう。
【００３４】
対価＝初期ディスク容量（Ｍｂｙｔｅ）×ディスク使用料＋掲載日数×掲載料ここで、掲載料は以前の使用回数によって以下のようにディスカウントされる。
【００３５】
【表１】
2004318689.tif 000003
【００３６】
その後登録部２０７０はＷＷＷサーバー２０２０によって図７に示す登録のための対価の情報を含んだ確認ページを返す。
【００３７】
提供者１０２０は、提供者コンピュータ１０２１上のＷＷＷブラウザに表示された図７に示されたページにより、対価の金額を確認し、そのまま処理を続けるなら「確認」ボタンを、そうでなければ「キャンセル」ボタンを押す。どちらのボタンが押されたかという情報が、ＩＳＰのサーバーに送られ、ＷＷＷサーバー２０２０を経由して登録部２０７０に送られる。登録部２０７０では、「キャンセル」ボタンを押された場合は、保持していた登録情報レコード３０２０と記憶部２０４０内の登録情報仮登録部に格納されているデータを破棄し、図８（ｂ）に示すページをＷＷＷサーバー２０２０経由で送り返す。「確認」ボタンが押された場合は、登録情報レコード３０２０を記憶部２０４０に記憶するとともに、記憶部２０４０の登録情報仮登録部のデータを登録情報レコードに記述されている正規の格納場所に移し、図８（ａ）に示すページをＷＷＷサーバー２０２０経由で送り返し登録確認を行なう。登録部２０７０は利用者１０１０が情報を取得できるよう、図１３に示すようなカテゴリごとの入り口となるページに登録されたページへのリンクを作成する。その際に提供者１０２０が指定したタイトルが使用される。
【００３８】
期限管理部２０６０は、１日に１回起動される。起動されると記憶部２０４０に記憶されている登録情報レコード３０２０群の中から期限の満了しているものを探し出す。見つかった登録情報レコード３０２０のユーザＩＤをキーとして記憶部２０４０内のユーザ情報レコード３０１０を検索し、検索されたユーザ情報レコード３０１０に記述されているメールアドレスを取り出す。その後、検出された登録情報レコード３０２０を記憶部から削除する。取り出されたメールアドレスに対して、メールサーバー２０１０を経由して図９（ｂ）で示す期間満了メールを送る。さらに、入り口となるページから登録されていたページへのリンクと、登録されていたデータを削除する。
【００３９】
さらに期限管理部２０６０は、次の日に期間満了を迎える登録情報レコード３０２０を記憶部２０４０から探し出す。見つかった登録情報レコード３０２０のユーザＩＤをキーとして記憶部２０４０内のユーザ情報レコード３０１０を検索し、検索されたユーザ情報レコード３０１０に記述されているメールアドレスを取り出す。取り出されたメールアドレスに対して、図９（ａ）で示す期限到達通知メールをメールサーバー２０１０によって送る。
【００４０】
メールを受け取った提供者１０２０は提供者コンピュータ１０２１上のＷＷＷブラウザにメールにて指定されたＵＲＬを入力し、指定されたページにアクセスする。
【００４１】
ＵＲＬはＩＳＰのサーバーに送られ、ＷＷＷサーバー２０２０によって解釈され、図１０に示す更新ページ情報が提供者コンピュータ１０２１に送られＷＷＷブラウザ上に更新ページが表示される。
【００４２】
更新ページに新たな登録期間を指定する。図１０のページの登録ボタンを押すと、ユーザが入力した情報がＩＳＰ１０３０のサーバーに送られ登録部２０７０に更新依頼として渡される。
【００４３】
更新依頼を受け取った登録部２０７０は送られてきた情報から登録情報レコード３０２０を検索する。登録部２０７０は、新たに指定された登録期間から更新するための対価を計算する。
【００４４】
対価の計算は以下の式によって行なう。
【００４５】
対価＝掲載延長日数×掲載料
ここで、掲載料に対するディスカウント率は初期登録時と同じ比率が使われる。
【００４６】
その後登録部２０７０はＷＷＷサーバー２０２０によって図１１に示す登録のための対価の情報を含んだ更新確認ページを返す。
【００４７】
提供者１０２０は、提供者コンピュータ１０２１上のＷＷＷブラウザに表示された図１１に示されたページにより、対価の金額を確認し、そのまま処理を続けるなら「確認」ボタンを、そうでなければ「キャンセル」ボタンを押す。どちらのボタンが押されたかという情報が、ＩＳＰのサーバーに送られ、ＷＷＷサーバー２０２０を経由して登録部２０７０に送られる。登録部２０７０では、「確認」ボタンが押された場合のみ、登録情報レコード３０２０の期限情報を更新して記憶部２０４０に記憶されているものと入れ替え、図１２に示すページをＷＷＷサーバー２０２０経由で送り返し更新確認を行なう。
【００４８】
本実施の形態では、情報提供にＷＷＷを使用したが、別の手段にても本発明を実施することは可能である。
【００４９】
また、提供される情報は文字、画像などの静的な情報だけでなく、プログラムを実行するなどの動的な情報でもよい。
【００５０】
（第２の実施形態）
本発明の第２実施形態の構成も図１にて表される。ＡＳＰ１０３０が所有するサーバーマシン上で実行されるソフトウェアの構成は図２にて表される。
【００５１】
図２３は、図２に示す各部が使用するために記憶部２０４０上に記憶されるデータレコードの構造をあらわす図で、２３０１０は提供者１０２０の情報を管理するためのユーザ情報レコード、２３０２０は２３０１０で登録されている提供者１０２０が提供している情報を管理するための登録情報レコードである。
【００５２】
利用者１０１０、提供者１０２０、ＡＳＰ１０３０の間で行われる処理の流れは図２で示すＵＭＬ（Ｕｎｉｆｉｅｄ  Ｍｏｄｅｌｉｎｇ  Ｌａｎｇｕａｇｅ）のシーケンス図によって表される。
【００５３】
このシーケンス図と図１４から図２２に示すＷＷＷサーバーが提供するＷＷＷページの表示例を用いて、本発明の第２実施形態における処理の流れを説明する。
【００５４】
提供者１０２０がＡＳＰ１０３０の提供する登録ページにアクセスして登録依頼を行なう。そのためには提供者１０２０は提供者コンピュータ１０２１より、インターネット１０４０にアクセスし、提供者コンピュータ１０２１上で稼動するソフトウェアであるＷＷＷブラウザにＡＳＰの登録ページのＵＲＬ（Ｕｎｉｆｏｒｍ  Ｒｅｓｏｕｒｃｅ  Ｌｏｃａｔｏｒ）を指定することによって登録ページにアクセスする。
【００５５】
登録ページにアクセスする際には、アクセスしているのが登録されたユーザであることを確認するため、図１４に示すログインページが提供者の使用してデバイスに送られ表示される。このページで入力されたユーザ名とパスワードはＡＳＰのサーバーに送られ、ユーザ管理部２０３０が、ユーザ名をキーにして、記憶部２０４０に記憶されているユーザ情報レコード２３０１０群から該当するレコードを検索する。検索されたレコードに記録されているパスワードとユーザが入力したパスワードが一致していれば、正規のユーザがアクセスしているものとして図１５に示す登録ページをＷＷＷサーバー２０２０によって、提供者コンピュータ１０２１上のＷＷＷブラウザに表示する。
【００５６】
登録ページに、ＷＷＷサイトに登録する際のカテゴリ、期間、タイトルや登録したいアプリケーションの情報が格納されている場所を指定する。さらに登録にかかる費用をどのように支払うかを指定する。本実施形態では、支払方法として銀行振込、クレジットカード決済、デジタルキャッシュなどの支払方法を想定している。もちろんこれらの支払方法に限定されるわけではなく、ほかの支払方法をとったとしても本実施例に影響を与えることは無い。さらに、アプリケーションの使用料を受け取る際の銀行口座番号を入力する。
【００５７】
図１５のページの登録ボタンを押すと、ユーザが入力した情報がＡＳＰ１０３０のサーバーに送られ登録部２０７０に登録依頼として渡される。またユーザの登録するページ情報はＦＴＰによって転送され、ＦＴＰサーバー２０８０によって受信され記憶部２０４０内の登録情報仮登録部に格納する。
【００５８】
登録依頼を受け取った登録部２０７０は送られてきた情報から登録情報レコード２３０２０を作成し保持する。ここで、格納場所を正式に割り当て、割り当てられた格納場所を示す情報が登録情報レコード２３０２０に設定される。登録部２０７０は、指定された登録期間と記憶部２０４０内の登録情報仮登録部に格納されている情報量から登録するための対価を計算する。
【００５９】
対価の計算は以下の式によって行なう。
【００６０】
対価＝初期ディスク容量（Ｍｂｙｔｅ）×ディスク使用料＋掲載日数×掲載料ここで、掲載料は以前の使用回数によって以下のようにディスカウントされる。
【００６１】
【表２】
2004318689.tif 000004
【００６２】
その後登録部２０７０はＷＷＷサーバー２０２０によって図７に示す登録のための対価の情報を含んだ確認ページを返す。
【００６３】
提供者１０２０は、提供者コンピュータ１０２１上のＷＷＷブラウザに表示された図１６に示されたページにより、対価の金額を確認し、そのまま処理を続けるなら「確認」ボタンを、そうでなければ「キャンセル」ボタンを押す。どちらのボタンが押されたかという情報が、ＡＳＰのサーバーに送られ、ＷＷＷサーバー２０２０を経由して登録部２０７０に送られる。登録部２０７０では、「キャンセル」ボタンを押された場合は、保持していた登録情報レコード２３０２０と記憶部２０４０内の登録情報仮登録部に格納されているデータを破棄し、図１７（ｂ）に示すページをＷＷＷサーバー２０２０経由で送り返す。「確認」ボタンが押された場合は、登録情報レコード２３０２０を記憶部２０４０に記憶するとともに、記憶部２０４０の登録情報仮登録部のデータを登録情報レコードに記述されている正規の格納場所に移し、図１７（ａ）に示すページをＷＷＷサーバー２０２０経由で送り返し登録確認を行なう。登録部２０７０は利用者１０１０が情報を取得できるよう、図２２に示すようなカテゴリごとの入り口となるページに登録されたページへのリンクを作成する。その際に提供者１０２０が指定したタイトルが使用される。使用者１０１０がこのリンクされたページをアクセスしアプリケーションを使用すると、使用者１０１０に使用料請求がされるとともに、登録情報レコード２３０２０の使用回数がインクリメントされる。
【００６４】
期限管理部２０６０は、１日に１回起動される。起動されると記憶部２０４０に記憶されている登録情報レコード２３０２０群の中から期限の満了しているものを探し出す。期間満了の条件は、提供者１０２０が指定した期間に使用料×使用回数から算出される使用料金の１％の金額を１日の登録料で割って計算した日日を加えて算出した期限が過ぎているものである。見つかった登録情報レコード２３０２０のユーザＩＤをキーとして記憶部２０４０内のユーザ情報レコード２３０１０を検索し、検索されたユーザ情報レコード２３０１０に記述されているメールアドレスを取り出す。その後、検出された登録情報レコード２３０２０を記憶部から削除する。取り出されたメールアドレスに対して、メールサーバー２０１０を経由して図１８（ｂ）で示す期間満了メールを送る。さらに、入り口となるページから登録されていたページへのリンクと、登録されていたデータを削除する。
【００６５】
さらに期限管理部２０６０は、次の日に期間満了を迎える登録情報レコード２３０２０を記憶部２０４０から探し出す。ここでの期間満了の条件も、提供者１０２０が指定した期間に使用料×使用回数から算出される使用料金の１％の金額を１日の登録料で割って計算した日日を加えて算出した期限が過ぎているものである。見つかった登録情報レコード２３０２０のユーザＩＤをキーとして記憶部２０４０内のユーザ情報レコード２３０１０を検索し、検索されたユーザ情報レコード２３０１０に記述されているメールアドレスを取り出す。さらに、使用回数と１回あたりの使用料から今までの期間で得られた使用料収入を計算する。取り出されたメールアドレスに対して、使用料収入金額を含んだ図１８（ａ）で示す期限到達通知メールをメールサーバー２０１０によって送る。
【００６６】
メールを受け取った提供者１０２０は、使用料収入と登録の費用を比較し、使用料の値上げ、提供の打ち切り等の判断を行なう。提供を現使用料のままで継続する場合、提供者１０２０は提供者コンピュータ１０２１上のＷＷＷブラウザにメールにて指定されたＵＲＬを入力し、指定されたページにアクセスする。
【００６７】
ＵＲＬはＡＳＰのサーバーに送られ、ＷＷＷサーバー２０２０によって解釈され、図１９に示す更新ページ情報が提供者コンピュータ１０２１に送られＷＷＷブラウザ上に更新ページが表示される。
【００６８】
更新ページに新たな登録期間を指定する。図１９のページの登録ボタンを押すと、ユーザが入力した情報がＡＳＰ１０３０のサーバーに送られ登録部２０７０に更新依頼として渡される。
【００６９】
更新依頼を受け取った登録部２０７０は送られてきた情報から登録情報レコード２３０２０を検索する。登録部２０７０は、新たに指定された登録期間から更新するための対価を計算する。
【００７０】
対価の計算は以下の式によって行なう。
【００７１】
対価＝掲載延長日数×掲載料
ここで、掲載料に対するディスカウント率は初期登録時と同じ比率が使われる。
【００７２】
その後登録部２０７０はＷＷＷサーバー２０２０によって図２０に示す登録のための対価の情報を含んだ更新確認ページを返す。
【００７３】
提供者１０２０は、提供者コンピュータ１０２１上のＷＷＷブラウザに表示された図２０に示されたページにより、対価の金額を確認し、そのまま処理を続けるなら「確認」ボタンを、そうでなければ「キャンセル」ボタンを押す。どちらのボタンが押されたかという情報が、ＡＳＰのサーバーに送られ、ＷＷＷサーバー２０２０を経由して登録部２０７０に送られる。登録部２０７０では、「確認」ボタンが押された場合のみ、登録情報レコード２３０２０の期限情報を更新して記憶部２０４０に記憶されているものと入れ替え、図１２に示すページをＷＷＷサーバー２０２０経由で送り返し更新確認を行なう。
【００７４】
本実施の形態では、情報提供にＷＷＷを使用したが、別の手段にても本発明を実施することは可能である。
【００７５】
【発明の効果】
（１）必要最小限の情報のみを発信することができる。
【００７６】
（２）情報提供期間をより細かく指定できる。
【００７７】
（３）自動的に期限の過ぎた情報をサーバーから削除することができ、削除忘れによる余分な費用の発生を防ぐことができる。
【００７８】
（４）使用料収入と提供にかかる費用を比較し、使用料の改定、提供の見直し等を行なうことができる。
【図面の簡単な説明】
【図１】システム構成図。
【図２】ソフトウェア構成図。
【図３】第１の実施形態の情報レコード図。
【図４】処理のシーケンス図。
【図５】第１の実施形態のユーザログインページ。
【図６】第１の実施形態の登録ページ。
【図７】第１の実施形態の登録確認ページ。
【図８】第１の実施形態の登録済みページ。
【図９】第１の実施形態の期限到達メール。
【図１０】第１の実施形態の更新ページ。
【図１１】第１の実施形態の更新確認ページ。
【図１２】第１の実施形態の更新済みページ。
【図１３】第１の実施形態の利用者提供エントリページ。
【図１４】第２の実施形態のユーザログインページ。
【図１５】第２の実施形態の登録ページ。
【図１６】第２の実施形態の登録確認ページ。
【図１７】第２の実施形態の登録済みページ。
【図１８】第２の実施形態の期限到達メール。
【図１９】第２の実施形態の更新ページ。
【図２０】第２の実施形態の更新確認ページ。
【図２１】第２の実施形態の更新済みページ。
【図２２】第２の実施形態の利用者提供エントリページ。
【図２３】第２の実施形態の情報レコード図。
【符号の説明】
１０１０  利用者
１０１１  利用者用コンピュータ
１０２０  提供者
１０２１  提供者用コンピュータ
１０３０  ＩＳＰ／ＡＳＰ
１０４０  インターネット
２０１０  メールサーバー
２０２０  ＷＷＷサーバー
２０３０  ユーザ管理部
２０４０  記憶部
２０５０  通信管理部
２０６０  期限管理部
２０７０  登録部
２０８０  ＦＴＰサーバー
３０１０  第１の実施形態のユーザ情報レコード
３０２０  第１の実施形態の登録情報レコード
２３０１  第２の実施形態のユーザ情報レコード
２３０２  第２の実施形態の登録情報レコード
【図１】
2004318689.tif 000005
【図２】
2004318689.tif 000006
【図３】
2004318689.tif 000007
【図４】
2004318689.tif 000008
【図５】
2004318689.tif 000009
【図６】
2004318689.tif 000010
【図７】
2004318689.tif 000011
【図８】
2004318689.tif 000012
【図９】
2004318689.tif 000013
【図１０】
2004318689.tif 000014
【図１１】
2004318689.tif 000015
【図１２】
2004318689.tif 000016
【図１３】
2004318689.tif 000017
【図１４】
2004318689.tif 000018
【図１５】
2004318689.tif 000019
【図１６】
2004318689.tif 000020
【図１７】
2004318689.tif 000021
【図１８】
2004318689.tif 000022
【図１９】
2004318689.tif 000023
【図２０】
2004318689.tif 000024
【図２１】
2004318689.tif 000025
【図２２】
2004318689.tif 000026
【図２３】
2004318689.tif 000027